(57)【要約】【課題】  直方体や立方体の上面が開口され他の面に周壁が形成された箱型を呈し、その周壁にラベル等の紙葉類を固定するためのポケットが設けられた書類入れにおいて、ポケットに挿入されて固定された紙葉類を取り出すに際し、利用者がポケットに自らの手指を挿入したときにシートが破れてしまったりシートと周壁とが取り付けられた箇所が剥がれてしまったりということを懸念することを必要としない書類入れを提供する。【解決手段】  この発明のポケットは、シート状物から成る蓋部と周壁に取り付けられた蓋抑え部とにより形成され、蓋抑え部は、一端が周壁に取り付けられてこれと対向する位置にある他端が解放された自由端を有する舌片状を呈し、紙葉類が蓋部と板材との間に挟まれた状態で蓋押え部の自由端及びその近傍において蓋部の左右端を板材に対して押えて着脱可能に取り付けることで、その紙葉類がポケットに固定された状態を実現する。【選択図】図１
2019126967.tif 000002
【特許請求の範囲】
【請求項１】
一面が開口されて開口部を形成し他の面が板材により周壁を形成する箱型を呈し、当該板材に紙葉類を固定するためのポケットが設けられた書類入れであって、
前記ポケットは、
前記紙葉類を押えて前記板材に対して固定するための蓋部と、
前記板材に取り付けられ、前記蓋部を前記板材に対して押えて固定するための蓋押え部と、
を有する書類入れ。
【請求項２】
前記蓋押え部は、
前記蓋部の一端辺である第一端辺を押さえるための第一蓋押え部と、
前記蓋部の前記第一端辺と対向する位置にある第二端辺を押さえるための第二蓋押え部と、
がそれぞれ板材に取り付けられて形成されている
請求項１に記載の書類入れ。
【請求項３】
前記蓋押え部は、
一端に前記板材に取り付けられた長尺状の取付部を有し、
当該一端と対向する位置にある他端が板材に取り付けられない自由端を形成する
請求項１または請求項２に記載の書類入れ。
【請求項４】
前記蓋押え部は、
前記書類入れの前記開口部と対向する位置にある面に最も近い端部に前記板材に取り付けられた底取付部を有する
請求項１乃至請求項３のいずれかに記載の書類入れ。
【請求項５】
前記蓋押え部から延出し、前記板材に取り付けるための基部を有する
請求項１乃至請求項４のいずれかに記載の書類入れ。
【発明の詳細な説明】
【技術分野】
【０００１】
本発明は、書類入れに関する。
【背景技術】
【０００２】
直方体や立方体の上面が開口され他の面が板材により形成された箱型を呈する書類入れであって、当該板材にラベル等の紙葉類を固定するためのポケットが設けられたものが多く知られている。
【先行技術文献】
【特許文献】
【０００３】
【特許文献１】特開平９−１７５０７１号公報
【特許文献２】特開２００７−９８７２５号公報
【特許文献３】特許第５１６５５１４号公報
【特許文献４】特許第６２４２１１２号公報
【０００４】
このような書類入れは、下面を形成する板材を底板としたときに当該底板に対して起立した状態に位置する板材が書類入れの周壁を形成し、当該周壁にポケットが設けられている。
【０００５】
ポケットは、透明性を有する色に視認される薄肉のシートの側端のうちポケットの開口端を形成するための一側端を除いた他の側端を溶着、接着又はその他の方法で板材に取り付けることで、当該シートと板材との間に生じた空間により形成され、当該空間に紙葉類を挿入してこれを固定するためのもので、当該紙葉類に、書類入れに収容される書類に記載された内容に関する簡単な説明やその書類に表題があるならそれが記入されていれば、書類入れを利用する者（以下、「利用者」と表記する。）は、ポケットに固定された書類に記載された内容やその書類の表題を見ることで、その中に収容された書類を取り出す前の時点でその内容や表題を認識することができる。
【発明の概要】
【発明が解決しようとする課題】
【０００６】
しかし、このようなポケットに挿入されて固定された紙葉類に文字や記号を記入するには、その紙葉類をポケットから取り出す必要があるが、そもそも、このようなポケットは紙葉類を固定するためのものであるから、ポケットから紙葉類を取り出すのは容易であってはならないため、つまり、ポケットから紙葉類を取り出すことが困難であるため、紙葉類に記載した文字や記号を他の文字や記号に変更する作業もまた困難である。
【０００７】
具体的には、紙葉類が書類入れの動きに応じてポケットの中で動いてしまわないように、さらに、ポケットの開口端が地球の中心に向くように、すなわちポケットが下向きになるように書類入れを向けたときに重力により紙葉類が容易にポケットから離脱しないように、紙葉類をシート及び周壁との摩擦力により固定できる程度にシートと周壁との間の空間が狭くなるように設定されているため、ポケットから紙葉類を取り出すことが困難である。
【０００８】
利用者が、このようなポケットから、シートとこれに対向する位置にある板材との間に自らの手指を挿入して紙葉類を取り出そうとするなら、シートの厚さが薄ければ薄いほど、それが破れてしまうことが懸念され、さらに、利用者の手指の力により、シートと板材とが取り付けられた箇所が剥がれてしまうことが懸念される。
【０００９】
これに加えて、ポケットに固定される紙葉類の面積が、シートの面積よりも著しく小さいものである場合、それをポケットの奥、つまりポケットの開口端から遠い位置に挿入してしまった場合、その後に利用者の手指をポケットに挿入しても、その手指が当該紙葉類にまで届かず、これに起因して、利用者は、当該紙葉類を取り出すことを諦めるか、シートを周壁から引きはがしてポケットを破壊することでそのラベル等を取り出すか、といった選択を迫られることになる。
【００１０】
本発明は、これらの課題を解決する書類入れを提供することを目的とするものである。
【課題を解決するための手段】
【００１１】
本発明の書類入れは、一面が開口されて開口部を形成し他の面が板材により周壁を形成する箱型を呈し、当該板材に紙葉類を固定するためのポケットが設けられた書類入れであって、前記ポケットは、前記紙葉類を押えて前記板材に対して固定するための蓋部と、前記板材に取り付けられ、前記蓋部を前記板材に対して押えて固定するための蓋押え部と、を有する。
【００１２】
紙葉類が蓋部と板材との間に挟まれた状態で蓋押え部がその蓋部を板材に対して押えて固定することで、その紙葉類がポケットに固定された状態が実現する。
【００１３】
前記蓋押え部は、前記蓋部の一端辺である第一端辺を押さえるための第一蓋押え部と、前記蓋部の前記第一端辺と対向する位置にある第二端辺を押さえるための第二蓋押え部と、がそれぞれ板材に取り付けられて形成されている。
【００１４】
蓋部の互いに対向する位置にある第一端辺と第二端辺とがそれぞれ蓋押え部によって板材に押さえつけられると、それらの端辺と板材とが閉じられるとともにその他の端辺が開口したポケットが形成され、蓋押え部の関与を受けずに開口している一端辺から蓋部と板材とに囲まれた空間に向けて紙葉類を挿入すると、その紙葉類は、蓋部とこれに対向する位置にある板材とに挟まれた状態でポケットに固定される。
【００１５】
さらに、前記蓋押え部は、一端に前記板材に取り付けられた取付部を有し、当該一端と対向する位置にある他端が板材に取り付けられない自由端を形成する。
【００１６】
例えば、書類入れの開口端を上面としたときこれと対向する位置にある面は底面となり、この場合において、蓋押え部は、その一端において上面から底面に向けて延びるように取付部が形成されて板材に取り付けられ、その一端と対向する位置にある他端が自由端を形成しているから、蓋抑え部の自由端及びその近傍の箇所が蓋部を押えることにより、蓋部が板材に取り付けられる。
【００１７】
これに加えて、前記蓋押え部は、前記書類入れの開口部と対向する位置にある面に最も近い端部に前記板材に取り付けられた底取付部を有する。
【００１８】
このような構成とすることで、ポケットは、蓋部の互いに対向する位置にある第一端辺及び第二端辺と板材とが閉じられるとともに、書類入れの底面に近い位置にある端辺も閉じられ、書類入れの上面に近い位置にある端辺が開口端を形成するから、蓋部を書類入れの上面から底面に向かう方向に板材に対して摺動させて取り付けるに際し、又は、蓋部が板材に取り付けられた状態で紙葉等を書類入れの上面から底面に向かう方向に蓋部や板材に対して摺動させて固定するに際し、書類入れの底面に近い位置にあるポケットの底端においてそれぞれの摺動が止められる。換言すると、この位置の端辺が閉じられた底端を形成する。
【００１９】
前記蓋押え部から延出し、前記板材に取り付けるための基部を有する。
【００２０】
蓋押え部と基部とが一のシートにより一体に形成されていれば、基部と板材とが書類入れの開口部からこれと対向する位置にある面に向かう方向に取り付けられた取付部と蓋押え部の自由端とにより舌片が形成され、その舌片が蓋押え部としての機能を担保する、換言すると、この取付部が、蓋押え部と基部との境界を形成する。
【００２１】
さらに、それぞれの基部において境界を形成する取付部と対向する位置の端部近傍で、書類入れの開口部からこれと対向する位置にある面に向かう方向に板材に対して取り付けられていれば、基部と板材とはより強固に取り付くため、それぞれの蓋押え部の激しい動きに対してより高い耐久性を有することが考えられる。
【００２２】
なお、ポケットに固定する紙葉類の一方向の長さが、第一蓋押え部の自由端と第二蓋押え部の自由端との距離よりも長く、かつ、第一蓋押え部の取付部と第二蓋押え部の取付部との距離よりも短いのであれば、蓋部を用いずに、第一蓋押え部及び第二蓋押え部が直接紙葉を押さえてこれを固定しても良い。
【００２３】
この他、各基部や各蓋押え部を構成するシートは、これらを構成しない余剰部分を利用して、当該余剰部分の対向する２の端辺が板材に固定されるとともに、これらの端辺のそれぞれ対向する位置にある一点同士を結ぶ線分が板材に固定されて底部が形成され、２の端辺の他点同士を板材に取り付けずに開口端とする従来のポケットを形成しても良い。
【発明の効果】
【００２４】
本発明の書類入れは、このような構成であることにより、紙葉類が書類入れの動きに応じて容易にポケットの中で動いてしまったり落ちてしまったりしないように蓋部や蓋押え部により紙葉類を強固に固定するとともに、このようなポケットから紙葉類を取り出すに際し、利用者が、蓋部とこれに対向する位置にある板材との間に自らの手指を挿入するほか、蓋部を蓋押え部から取り外して紙葉類を取り出せばよく、従来のポケットのように、紙葉類を取り出すときに、ポケットを構成するシートが破れてしまうことやシートと板材とが取り付けられた箇所が剥がれてしまうことを懸念することを必要としない。
【００２５】
さらに、ポケット／蓋部の面積よりも著しく小さい面積を有する紙葉類をポケットの奥に挿入してしまい、利用者の手指をポケットに挿入してもその手指が当該紙葉類にまで届かない場合、蓋部を蓋押え部から取り外して紙葉類を取り出せばよいから、利用者は、当該紙葉類を取り出すことを諦めるか、シートを周壁から引きはがしてポケットを破壊することでそのラベル等を取り出すか、といった選択を迫られることにならない。
【００２６】
これらの場合に加え、蓋部を用いずに、第一蓋押え部及び第二蓋押え部が直接紙葉類を押さえてこれを固定しているのであれば、その紙葉類をポケットから取り出すことなく、その紙葉類に文字や図柄を書き込むことができる。
【図面の簡単な説明】
【００２７】
【図１】第一実施例に係る書類入れの斜視図である。
【図２】第一実施例に係る書類入れのポケット部分とその近傍を拡大した図である。
【図３】第一実施例に係る書類入れのポケットに紙葉類を固定した状態を示す図である。
【図４】第一実施例に係る書類入れのポケットに蓋部を用いずに紙葉類を固定した状態を示す図である。
【図５】第一実施例に係る書類入れのポケットの蓋押え部が基部を有する場合を示す図である。
【図６】第二実施例に係る書類入れの斜視図である。
【図７】第二実施例に係る書類入れのポケット部分とその近傍をを拡大した図である。
【図８】第二実施例に係る書類入れのポケットに紙葉類を挿入する途上の状態を示す図である。
【図９】第二実施例に係る書類入れのポケットに紙葉類を挿入する途上の状態を示す図である。
【図１０】従来の書類入れの斜視図である。
【発明を実施するための形態】
【００２８】
以下、図面を参照しながら本発明の実施形態を説明する。なお、本明細書において、特に説明が無い限り、図２、図３、図４、図５、図７、図８、図９において視認される上下方向を「書類入れの上下方向」とし、同様に視認される左右方向を「書類入れの左右方向」とする。
【００２９】
（第一実施例）
図１に示す書類入れ１は、一面が開口されて開口部１１を形成し、他の面には、板材１２により周壁が形成されるとともに開口部１１と対向する位置にある板材１３により底面が形成され、以て箱型が形成され、開口部１１から底面に向けて被収容物４を挿入することで被収容物が書類入れ１に収容されるように形成されており、さらに、いずれかの板材１２にポケット２が設けられ、その下方に、利用者が自らの手指を掛けて書類入れ１を自らに近づくように引き寄せるため指掛け穴１２１を有している。
【００３０】
図２に示すように、蓋押え部は、左右に離間して板材１２に取り付けられた第一蓋押え部２１と第二蓋押え部２２とから成り、左方にある第一蓋押え部２１は、板材１２に取り付けられることにより、その左端辺において上下方向に延びる取付部である側取付部２１１と、その下端辺において左右方向に延びる取付部である底取付部２１２と、が現出し、右方にある第二蓋押え部２２は、板材１２に取り付けられることにより、その右端辺において上下方向に延びる取付部である側取付部２２１と、その下端辺において左右方向に延びる取付部である底取付部２２２と、が現出し、蓋部２３が、左右方向において側取付部２１１と側取付部２２１との間の位置であって底取付部２１２及び底取付部２２２の上方の位置において、第一蓋押え部２１と第二蓋押え部２２とにより板材１２に押えられることにより形成され、第一蓋押え部２１の上端と第二蓋押え部２２の上端とが板材１２に取り付けられず、蓋部２３の上端が押えられないことにより、当該各上端がポケット２の開口端を形成するため、被収容物４を書類入れ１に挿入する方向と、後述する紙葉類３をポケット２に挿入する方向と、が同じ方向であることを好ましいとするなら、開口部１１が上方に位置し底面を形成する板材１３が下方に位置することが好ましい。
【００３１】
図２は、ポリプロピレンなどの合成樹脂を材料とする板材１２に対して熱溶着や超音波溶着によって第一蓋押え部２１及び第二蓋押え部２２を取り付けるために、側取付部２１１においては上下方向に、底取付部２１２においては左右方向に、それぞれ点状の固着部１４が並ぶように連設された状態を示したものであるが、このような形態に限られる必要は無く、例えば、取付部２１１においては上下方向に、底取付部２１２においては左右方向に、帯状に接着することでそれぞれの取付部が形成されても良いし、その他の方法でそれぞれの取付部が形成されても良い。
【００３２】
蓋押え部２１、２２及び蓋部２３が透明性を有する色に視認される合成樹脂シートにより形成されているのであれば、図３に示すように、紙葉類３が板材１２と蓋部２３との間で固定されたとき、紙葉類３に書かれた文字や図形をポケット２の外から蓋部２３を介して視認することができるから、紙葉類３に、書類入れ１に収容される被収容物４に関する簡単な説明やその表題などが記入されていれば、利用者は、ポケット２に固定された紙葉類３を見ることで、被収容物４を取り出す前の時点でその内容や表題を認識することができる。
【００３３】
ポケット２は蓋部２３を容易に取り外せるように形成されているから、図４に示すように、蓋部２３を用いずに蓋押え部２１、２２が紙葉類３を押さえるようにしても良い。このようにすれば、蓋部２３が紙葉類３を外力から保護する効果を奏することはできないものの、これと相対して、蓋押え部２１、２２により紙葉類３を板材１２に対して固定したまま、紙葉類３に対して文字や図形を書くことができる。
【００３４】
また、図４に示すようなポケット２の面積に対してその面積がはるかに小さい紙葉類３をポケット２に固定して、その紙葉類を外力から保護するためには、図示しないが、図４に示した状態で、蓋部２３を、紙葉類３が蓋部２３と板材１２との間に位置するように、蓋押え部２１、２２と板材１２との間に挟んで取り付ければよい。
【００３５】
このように、蓋部２３がポケット２に対して取り外し可能に形成されていることで、小さい紙葉類３をポケット２の奥、つまりポケット２の開口端から遠い位置に挿入した場合であっても、これを取り出すに際し、図１０に示す従来の書類入れ５のポケット５４において同様の状態となった場合のように、利用者が自らの手指をポケット２の奥に無理に挿入しなくても、蓋部２３を取り外せば容易に紙葉類３を取り出すことができるから、利用者は、当該紙葉類を取り出すことを諦めたり、ポケットを破壊したりする必要は無い。
【００３６】
ところで、図５に示すように、蓋押え部２１、２２から延出して板材１２に取り付けるための基部２１０、２２０を有していても良い。
【００３７】
この場合、蓋押え部２１と基部２１０と、及び基部２２と基部２２０と、がそれぞれ一のシートにより一体に形成されていれば、基部２１０、２２０と板材１２とが、上下方向に取り付けられた取付部と蓋押え部２３の自由端とにより舌片が形成され、その舌片が蓋押え部２３としての機能を担保し、この取付部が、蓋押え部と基部との境界を形成する境界取付部２１３、２２３となる。
【００３８】
さらに、それぞれの基部２１０、２２０において境界取付部２１３、２２３と対向する位置の端部近傍で板材１２に対して上下方向に取り付けられて成る基部取付部２１４、２２４を有していれば、基部２１０、２２０と板材１２とはより強固に取り付くため、蓋押え部２１、２２の激しい動きに対してより高い耐久性を有することが考えられる。
【００３９】
また、蓋押え部２１、２２の下端近傍で、板材１２に対して左右方向に取り付けられて成る底取付部２１２、２２２を有していれば、蓋押え部２１、２２に押えられた蓋部２３を下方に押し下げようとしても底取付部２１２、２２２がその動きを止めることができる。
【００４０】
なお、底取付部２１２、２２２は、蓋押え部２１、２２の下端近傍にあれば前述した機能を担保するが、図５に示すように、蓋押え部２１、２２の下端近傍から基部２１０、２２０の下端近傍に向けて延びるように形成されていれば、基部２１０、２２０と板材１２とがより強固に取り付けられる。
【００４１】
（第二実施例）
以下、第二実施例について説明するが、第一実施例に係る構成と同様の構成については、その説明を省略する。
【００４２】
図６に示す書類入れ１は、図１に示す書類入れ１と同様に、開口部１１と板材１２から成る周壁と板材１３から成る底面とにより箱型が形成され、開口部１１から底面に向けて被収容物４を挿入することで被収容物が書類入れ１に収容されるように形成されており、さらに、いずれかの板材１２に、蓋押え部２１、２２と蓋部２３とから成るポケット２と、図１０に示す従来の書類入れ５に設けられたポケット５４と同様に開口端を形成するための一側端を除いた他の側端を板材１２に取り付けて成る副ポケット２４と、が設けられ、その下方に、利用者が自らの手指を掛けて書類入れ１を自らに近づくように引き寄せるため指掛け穴１２１を有している。
【００４３】
蓋押え部２１、２２と、基部２１０、２２０と、副ポケット２４と、は一のシートにより一体に形成され、図７に示すように、基部２１０、２２０が境界取付部２１３、２２３と基部取付部２１４、２２４とを有するように板材１２に取り付けられて舌片状の蓋押え部２１、２２が形成され、蓋部２３が蓋押え部２１、２２に押えられることでポケット２を形成するとともに、シートの蓋押え部２１、２２の上方に位置する部分が、その両側端近傍において上下方向に延びる取付部である側取付部２４１を形成するように板材１２に取り付けられて、左方の側取付部２４１に位置する一点と右方の側取付部２４１に位置する一点とを結ぶ仮想線上で、左右方向に延びる取付部である底取付部２４２を形成するように板材１２に取り付けられて、以て、側取付部２４１が副ポケット２４の左右端を形成し、底取付部２４２が副ポケット２４の底部を形成し、このシートの上端であって板材１２に取り付けられていない端部が副ポケット２４の開口端２４３を形成する。
【００４４】
なお、左方の側取付部２４１と基部取付部２１４と、及び、右方の側取付部２４１と基部取付部２２４とは、それぞれ同一線上に連続して形成されているが、このような形態に限られる必要は無く、これらがそれぞれ同一線上にありながら連続して形成されていなくてもよく、また、これらが同一線上を形成しない（左方の側取付部２４１が基部取付部２１４よりも右方にある、あるいはその逆の関係にある場合など。）ように形成されていても良い。これらの形態は、副ポケットの面積をどのように設定するか、すなわち、副ポケットに固定する紙葉類をどのようなものと想定するのかによって決められれば良い。
【００４５】
さらに、底取付部２４２は左右方向に連続して形成されているが、このような形態に限られる必要は無く、紙葉類を固定する機能を担保できるのであれば、製造上の効率を優先して、図７に示すように、副ポケット２４の左右の下角に相当する箇所にそれぞれ底取付部２４２が形成されて左方の底取付部２４２と右方の底取付部２４２とが連続せずに形成されても良い。
【００４６】
副ポケット２４とポケット２とが近接するように配される、すなわち、蓋押え部２１、２２の上端がそれぞれ底取付部２４２に近接するように配されて底取付部２４２が副ポケット２４とポケット２との境界を形成していても良いが、上下方向における副ポケット２４とポケット２との間の位置に離隔部２４４を設けても良い。
【００４７】
次に、利用者が蓋押え部２１、２２が蓋部２３を押えた状態のポケット２を形成させようとするとき、或いは蓋部２３を蓋押え部２１、２２から離脱させようとするとき、の方法について説明する。なお、これ以降の記載において、特に説明が無い限り、その方法は第一実施例と第二実施例とにおいて共通した方法である。
【００４８】
図８に示すように、まず板材１２の離隔部２４４に相当する位置で蓋部２３の下端を接触させ、その状態から、蓋部２３を上方から下方に向けて移動させると、蓋部２３が板材１２に対して摺動し、その動きが続いて蓋部２３が蓋押え部２１、２２と板材１２との間に潜り込むことで、蓋部２３が第一蓋押え部２１と第二蓋押え部２２とにより板材１２に押えられたポケット２が形成され、その状態から蓋部２３を下方から上方へ向けて移動させると、蓋部２３が蓋押え部２１、２２から離脱する。
【００４９】
つまり、この方法では、蓋部２３を上方から下方に向けて移動させるに際して、その初期段階において板材１２の離隔部２４４に相当する位置で蓋部２３の下端を接触させることを可能とするため、また、蓋部２３を下方から上方へ向けて移動させて、蓋部２３の上端が蓋押え部２１、２２の上端よりも上方であり副ポケット２４の下端よりも下方に位置するように形成することで、図示しないが、利用者が当該位置において蓋部２３の上端に自らの手指を接触させることで蓋部２３を捲り上げることを可能とするため、第二実施例においては離隔部２４４を設けることが好適である。
【００５０】
これとは別に、蓋部２３が可動性を有する材料により形成されているなら、図９に示すように、そのような蓋部２３を、自らの左右端の距離が蓋押え部２１の自由端から蓋押え部２２の自由端までの距離よりも短くなる程度に撓ませて、当該左右端を蓋押え部２１の自由端と蓋押え部２２の自由端との間に位置させて、その後に撓ませた状態を解除すれば、当該左右端が蓋押え部２１、２２と板材１２との間に潜り込むことで、ポケット２が形成される。このような場合、図示しないが、蓋部２３の上端若しくは下端を板材１２から離れる方向に引き出せば、蓋部２３が撓んで蓋部２３が蓋押え部２１、２２から離脱する。
【符号の説明】
【００５１】
１  書類入れ
１１  開口部（上面）
１２  板材（周壁）
１２１  指掛け穴
１３  板材（底面）
１４  固着部
２  ポケット
２１  蓋押え部（第一蓋押え部）
２１０  基部
２１１  側取付部
２１２  底取付部
２１３  境界取付部
２１４  基部取付部
２２  蓋押え部（第二蓋押え部）
２２０  基部
２２１  側取付部
２２２  底取付部
２２３  境界取付部
２２４  基部取付部
２３  蓋部
２４  副ポケット
２４１  側取付部
２４２  底取付部
２４３  開口端
２４４  離隔部
３  紙葉類
４  被収容物
５  書類入れ
５１  開口部（上面）
５２  板材（周壁）
５３  板材（底面）
５４  ポケット
【図１】
2019126967.tif 000003
【図２】
2019126967.tif 000004
【図３】
2019126967.tif 000005
【図４】
2019126967.tif 000006
【図５】
2019126967.tif 000007
【図６】
2019126967.tif 000008
【図７】
2019126967.tif 000009
【図８】
2019126967.tif 000010
【図９】
2019126967.tif 000011
【図１０】
2019126967.tif 000012